(57)【要約】【課題】下側構造部と上側構造部と接続部分の意匠性を向上させることができる接続構造および什器を提供する。【解決手段】下側構造部２は、上側構造部３と幅方向（重ね方向）に重ねあわされる下側接続部６１を有し、上側構造部３は、下側接続部６１と幅方向に重ね合わされる上側接続部６２を有し、下側接続部６１は、上向きの第１固定面２７２ｂが形成された第１固定部２７２を有し、上側接続部６２は、第１固定部２７２の上に配置され第１固定面２７２ｂと向き合う下向きの第２固定面３６２ｄが形成され第１固定部２７２と固定される第２固定部３６２を有し、下側接続部６１は、上側接続部６２と重なる位置に配置されて上側接続部６２側に突出するフック部２７３を有し、上側接続部６２は、下側接続部６１と重なる位置に配置されてフック部２７３を係止し上側接続部６２と下側接続部６１とが重ね方向に離間しないように規制するフック係止部３７を有する。【選択図】図９
2018119629.tif 000002
【特許請求の範囲】
【請求項１】
設置面に設置される下側構造部と、前記下側構造部の上側に配置される上側構造部との接続構造において、
前記下側構造部は、前記上側構造部と上下方向と交差する重ね方向に重ねあわされる下側接続部を有し、
前記上側構造部は、前記下側接続部と前記重ね方向に重ね合わされる上側接続部を有し、
前記下側接続部および前記上側接続部のいずれか一方は、上向きの第１固定面が形成された第１固定部を有し、他方は、前記第１固定部の上に配置され前記第１固定面と向き合う下向きの第２固定面が形成され前記第１固定部と固定される第２固定部を有し、
前記下側接続部および前記上側接続部のいずれか一方は、他方と重なる位置に配置されて他方側に突出するフック部を有し、他方は、一方と重なる位置に配置されて前記フック部を係止し前記上側接続部と前記下側接続部とが前記重ね方向に離間しないように規制するフック係止部を有することを特徴とする接続構造。
【請求項２】
前記第１固定部は、前記下側接続部および前記上側接続部のいずれか一方の下縁部に形成されていることを特徴とする請求項１に記載の接続構造。
【請求項３】
前記下側構造部は、設置面に設置される脚部を有し、
前記下側接続部は、前記脚部とともにＬ字形を形成するように前記脚部から上側に延びていて、
前記上側接続部は、前記下側接続部に前記Ｌ字形の外側から重ねあわされるように構成され、
前記下側接続部および前記上側接続部のいずれか一方の下縁部に前記第１固定部が形成され、他方の下縁部に前記第２固定部が形成されている請求項１又は２に記載の接続構造。
【請求項４】
前記第１固定部は、前記第２固定部に下側から固定具で固定されていることを特徴とする請求項１乃至３のいずれか一項に記載の接続構造。
【請求項５】
前記フック部は、突出方向の先端側に上側に延びる上側片を有し、
前記フック係止部は、下側に開口し前記上側片が下側から挿入される上側片挿入凹部を有することを特徴とする請求項１乃至４のいずれか一項に記載の接続構造。
【請求項６】
前記下側接続部には、前記第１固定部および前記フック部が設けられ、
前記フック部は、前記第１固定部よりも上側に配置され、前記突出方向の先端側が上側に延びていて、
前記上側接続部には、前記第２固定部および前記フック係止部が設けられ、
前記フック係止部は、前記フック部の前記突出方向の先端側を上側から係止していることを特徴とする請求項１乃至５のいずれか１項に記載の接続構造。
【請求項７】
前記上側構造部は、前記上側接続部の上側に連続して形成され、前記下側接続部と前記重ね方向に重ならない連続部を有し、
前記連続部における前記重ね方向の前記上側接続部に対する前記下側接続部側となる一方側の面と、前記下側接続部における前記重ね方向の一方側の面とが面一となるように配置されていることを特徴とする請求項１乃至６のいずれか一項に記載の接続構造。
【請求項８】
設置面に設置された下側構造部と、前記下側構造部の上側に配置された上側構造部とが接続された什器において、
前記下側構造部は、前記上側構造部と上下方向と交差する重ね方向に重ねあわされる下側接続部を有し、
前記上側構造部は、前記下側接続部と前記重ね方向に重ね合わされる上側接続部を有し、
前記下側接続部および前記上側接続部のいずれか一方は、上向きの第１固定面が形成された第１固定部を有し、他方は、前記第１固定部の上に配置され前記第１固定面と向き合う下向きの第２固定面が形成され前記第１固定部と固定される第２固定部を有し、
前記下側接続部および前記上側接続部のいずれか一方は、他方と重なる位置に配置されて他方側に突出するフック部を有し、他方は、一方と重なる位置に配置されて前記フック部を係止し前記上側接続部と前記下側接続部とが前記重ね方向に離間しないように規制するフック係止部を有することを特徴とする什器。
【請求項９】
前記上側構造部は、前記上側接続部と一体に形成されて上面が作業面となる天板部を有することを特徴とする請求項８に記載の什器。
【請求項１０】
前記上側構造部は、前記上側接続部と一体に形成されて情報を表示可能な情報表示部を有することを特徴とする請求項８に記載の什器。
【請求項１１】
前記下側接続部と前記上側接続部との間に配置され、配線を挿通可能な配線挿通部を有することを特徴とする請求項８乃至１０のいずれか一項に記載の什器。
【請求項１２】
前記配線挿通部に挿通された配線に接続されて、前記下側接続部に支持されたコンセントを有することを特徴とする請求項１１に記載の什器。
【発明の詳細な説明】
【技術分野】
【０００１】
本発明は、設置面に設置される下側構造部と、下側構造部の上側に配置される上側構造部との接続構造、および設置面に設置された下側構造部と、下側構造部の上側に配置された上側構造部とが接続された什器に関する。
【背景技術】
【０００２】
従来、床面などの設置面に設置される脚部と、脚部から上方に延びる側板とが同じ材質で一体に形成され側方から見た形状がＬ字形の看板が知られている（例えば、特許文献１参照）。また、設置面に設置される脚部と、脚部から上方に延びる側板部と、側板部の上端部に接続される天板とが同じ材質で一体に形成され側方から見た形状がＣ字形のテーブルが知られている（例えば、特許文献２参照）。
このような側板や天板が脚部と一体に形成された什器に対し、脚部と側板や天板とが別々に形成されて接続された什器も知られている。脚部と側板や天板とが別々に形成されることで、側板や天板の材質と脚部の材質とを変えて意匠性を高めることができるとともに、側板や天板、脚部それぞれに対して適した強度の材質を選択することができる。
【先行技術文献】
【特許文献】
【０００３】
【特許文献１】実用新案登録第３０７８５２８号公報
【特許文献２】実用新案登録第３１８８３８９号公報
【発明の概要】
【発明が解決しようとする課題】
【０００４】
しかしながら、脚部などの下側構造部と、側板や天板などの上側構造部とが別々に形成されて互いに接続された什器は、接続部分の固定具などが露出して意匠性を損ねる虞がある。
【０００５】
そこで、本発明は、下側構造部と上側構造部と接続部分の意匠性を向上させることができる接続構造および什器を提供することを目的とする。
【課題を解決するための手段】
【０００６】
上記目的を達成するため、本発明に係る接続構造は、設置面に設置される下側構造部と、前記下側構造部の上側に配置される上側構造部との接続構造において、前記下側構造部は、前記上側構造部と上下方向と交差する重ね方向に重ねあわされる下側接続部を有し、前記上側構造部は、前記下側接続部と前記重ね方向に重ね合わされる上側接続部を有し、前記下側接続部および前記上側接続部のいずれか一方は、上向きの第１固定面が形成された第１固定部を有し、他方は、前記第１固定部の上に配置され前記第１固定面と向き合う下向きの第２固定面が形成され前記第１固定部と固定される第２固定部を有し、前記下側接続部および前記上側接続部のいずれか一方は、他方と重なる位置に配置されて他方側に突出するフック部を有し、他方は、一方と重なる位置に配置されて前記フック部を係止し前記上側接続部と前記下側接続部とが前記重ね方向に離間しないように規制するフック係止部を有することを特徴とする。
【０００７】
また、本発明に係る什器は、設置面に設置された下側構造部と、前記下側構造部の上側に配置された上側構造部とが接続された什器において、前記下側構造部は、前記上側構造部と上下方向と交差する重ね方向に重ねあわされる下側接続部を有し、前記上側構造部は、前記下側接続部と前記重ね方向に重ね合わされる上側接続部を有し、前記下側接続部および前記上側接続部のいずれか一方は、上向きの第１固定面が形成された第１固定部を有し、他方は、前記第１固定部の上に配置され前記第１固定面と向き合う下向きの第２固定面が形成され前記第１固定部と固定される第２固定部を有し、前記下側接続部および前記上側接続部のいずれか一方は、他方と重なる位置に配置されて他方側に突出するフック部を有し、他方は、一方と重なる位置に配置されて前記フック部を係止し前記上側接続部と前記下側接続部とが前記重ね方向に離間しないように規制するフック係止部を有することを特徴とする。
【０００８】
本発明では、第１固定部が第２固定部に固定されるとともに、フック部がフック係止部に係止されることによって、下側接続部と上側接続部とが重ね方向に離間しないように固定されて、下側構造部と上側構造部とを接続することができる。
フック部およびフック係止部は、下側接続部と上側接続部とが重なる位置に配置されているため、外部への露出を抑えることができる。また、第１固定部は、第２固定部に下側から固定されるため、上方や側方への露出を抑えることができる。これらのことにより、下側構造部と上側構造部との接続部分の意匠性を向上させることができる。
【０００９】
また、本発明に係る接続構造では、前記第１固定部は、前記下側接続部および前記上側接続部のいずれか一方の下縁部に形成されていてもよい。
第１固定部が下側接続部および上側接続部のいずれか一方の下縁部に形成されていることにより、下側から第１固定部にアクセスしやすく、第１固定部を第２固定部に下側から固定する際に、ネジなどの固定具やドライバーなどの工具などが他の部材と干渉することがなく、作業を行いやすい。
【００１０】
また、本発明に係る接続構造では、前記下側構造部は、設置面に設置される脚部を有し、前記下側接続部は、前記脚部とともにＬ字形を形成するように前記脚部から上側に延びていて、前記上側接続部は、前記下側接続部に前記Ｌ字形の外側から重ねあわされるように構成され、前記下側接続部および前記上側接続部のいずれか一方の下縁部に前記第１固定部が形成され、他方の下縁部に前記第２固定部が形成されていてもよい。
下側接続部の下縁部に形成された第１固定部または第２固定部は、下側構造部のＬ字形の角部の外側において角部の近傍に配置される。このため、第１固定部を第２固定部に固定する際に、ネジなどの固定具やドライバーなどの工具などが脚部と干渉することがなく、作業を行いやすい。
【００１１】
また、本発明に係る接続構造では、前記第１固定部は、前記第２固定部に下側から固定具で固定されていてもよい。
第１固定部が第２固定部に下側から固定具で固定されることにより、第１固定部や固定具の上方や側方への露出を抑えることができる。
【００１２】
また、本発明に係る接続構造では、前記フック部は、突出方向の先端側に上側に延びる上側片を有し、前記フック係止部は、下側に開口し前記上側片が下側から挿入される上側片挿入凹部を有していてもよい。
フック部の上側片がフック係止部の上側片挿入凹部に下側から挿入されることにより、フック部の水平方向の移動が規制されるため、フック部がフック係止部から外れることが防止される。
【００１３】
また、本発明に係る接続構造では、前記下側接続部には、前記第１固定部および前記フック部が設けられ、前記フック部は、前記第１固定部よりも上側に配置され、前記突出方向の先端側が上側に延びていて、前記上側接続部には、前記第２固定部および前記フック係止部が設けられ、前記フック係止部は、前記フック部の前記突出方向の先端側を上側から係止していてもよい。
このような構成とすることにより、フック部が上側からフック係止部に上側から係止された安定した状態で第１固定部を第２固定部に固定することができる。
【００１４】
また、本発明に係る接続構造では、前記上側構造部は、前記上側接続部の上側に連続して形成され、前記下側接続部と前記重ね方向に重ならない連続部を有し、前記連続部における前記重ね方向の前記上側接続部に対する前記下側接続部側となる一方側の面と、前記下側接続部における前記重ね方向の一方側の面とが面一となるように配置されていてもよい。
連続部における重ね方向の一方側の面と、前記下側接続部における重ね方向の一方側の面とが面一となることにより、意匠性及び清掃性を向上させることができる。
【００１５】
また、本発明に係る什器では、前記上側構造部は、前記上側接続部と一体に形成されて上面が作業面となる天板部を有していてもよい。
上側構造部が天板部を有することにより、什器をテーブルや作業台、物を置く台として使用することができる。
【００１６】
また、本発明に係る什器では、前記上側構造部は、前記上側接続部と一体に形成されて情報を表示可能な情報表示部を有していてもよい。
上側構造部が情報表示部を有することにより、什器を看板として使用することができる。
【００１７】
また、本発明に係る什器では、前記下側接続部と前記上側接続部との間に配置され、配線を挿通可能な配線挿通部を有していてもよい。
配線挿通部に配線と挿通させることにより、配線の露出を抑えることができて、什器の意匠性を向上させることができる。
【００１８】
また、本発明に係る接続構造では、前記配線挿通部に挿通された配線に接続されて、前記下側接続部に支持されたコンセントを有していてもよい。
コンセントを有することにより、什器および什器近傍で使用する機器類の電源を確保することができ、什器の使用性を向上させることができる。
【発明の効果】
【００１９】
本発明によれば、下側構造部と上側構造部と接続部分の意匠性を向上させることができる。
【図面の簡単な説明】
【００２０】
【図１】本発明の実施形態によるテーブル（什器）の一例を示す斜視図である。
【図２】図１に示すテーブルを奥行方向から見た正面図である。
【図３】図１に示すテーブルを幅方向の他方側から見た側面図である。
【図４】下側構造部を示す斜視図である。
【図５】第１接続部材を示す斜視図である。
【図６】上側構造部を示す斜視図である。
【図７】天板部および第２側板部を示す図である。
【図８】第２接続部材を示す図である。
【図９】下側構造部と上側構造部との接合構造を示す図で図３のＡ−Ａ線断面に対応する図である。
【図１０】第２実施形態によるテーブル（什器）の一例を示す斜視図である。
【図１１】第１実施形態による変形例によるテーブル（什器）の一例を示す図である。
【図１２】第１実施形態による変形例による看板（什器）の一例を示す図である。
【発明を実施するための形態】
【００２１】
（第１実施形態）
以下、本発明の実施形態による接続構造および什器について、図１乃至図９に基づいて説明する。
図１に示すように、本実施形態による什器は、ベッドやソファーなどに隣接して床面（設置面）１１に設置されるテーブル１Ａであり、本実施形態による接続構造は、テーブルＡ１の下側構造部２と上側構造部３との接続構造である。以下の説明における各部材等の向きや姿勢は、テーブル１Ａが床面１１に設置された際の向きや姿勢であるものとする。
【００２２】
テーブル１Ａは、上側から見た形状が一の水平方向に長い長尺形状に形成されている。この一の水平方向を幅方向とし、幅方向に直交する水平方向を奥行方向とする。テーブル１Ａは、奥行方向から見て幅方向の一方側に開口する略Ｃ字形状に形成されている。
図１乃至図３に示すように、テーブル１Ａは、床面１１に設置される下側構造部２と、下側構造部２の上側に配置され下側構造部２と接続される上側構造部３と、下側構造部２と上側構造部３とを連結する支柱部４と、を有している。
【００２３】
図４に示すように、下側構造部２は、床面に配置される脚部２１と、脚部２１から上側に延びる第１立ち上がり部２２と、を有している。
脚部２１は、床面と平行に配置される平板状の底板部２３と、底板部２３の下面に取り付けられて床面と当接する複数の脚部材２４，２４…と、を有している。
底板部２３は、板面が幅方向に延びる長尺であるとともに、幅方向の一方側に開口する略Ｃ字形状に形成されている。底板部２３には、支柱部４の下側のネジ部４１（図１乃至図３参照）がねじ込まれるネジ孔２３１が形成されている。
【００２４】
脚部材２４，２４…は、それぞれ底板部２３よりもやわらかい樹脂などの材質で形成されている。脚部材２４，２４…は、床面１１と当接して底板部２３と床面１１の間に隙間を形成している。脚部材２４，２４…は、アジャスタ―などのテーブル１Ａの高さを調整する高さ調整機能を有していてもよい。
【００２５】
第１立ち上がり部２２は、底板部２３の幅方向の他方側の縁部から上方に向かって所定の曲率で湾曲する板状の第１湾曲板部２５と、湾曲板部２２１の上縁部から上方に延びる平板状の第１側板部２６と、第１側板部２６に取り付けられた第１接続部材２７と、を有している。本実施形態では、第１側板部２６および第１接続部材２７が、上側構造部３の上側接続部６２と接続される下側接続部６１を構成している。
第１立ち上がり部２２および後述する第２立ち上がり部３１の説明では、「外側」は幅方向の一方側に対する他方側を示し、「内側」は他方側に対する一方側を示している。
【００２６】
第１湾曲板部２５は、中心角が約８５°となる略円弧板状に形成されている。
第１側板部２６は、板面が略幅方向を向き、下側から上側に向かって漸次幅方向の一方側に向かって傾斜している。第１側板部２６の底板部２３に対する傾斜角は約８５°となっている。第１側板部２６は、板面が底辺の長さよりも上辺の長さが長い略台形状に形成されている。
底板部２３、第１湾曲板部２５および第１側板部２６は、例えば、鉄、アルミニウム、あるいはステンレス鋼などの金属で一体に形成されている。
【００２７】
第１接続部材２７は、第１側板部２６の外面（幅方向他方側の面）２６ａに沿って取り付けられている。第１側板部２６の外面２６ａは、平坦に形成されている。
図４および図５に示すように、第１接続部材２７は、第１側板部２６の外面２６ａ（図４参照）に沿って取り付けられる平板状の第１接続平板部２７１と、第１接続平板部２７１から突出する第１固定部２７２と、第１接続平板部２７１から突出する一対のフック部２７３，２７３と、を有している。
第１接続平板部２７１、第１固定部２７２および一対のフック部２７３，２７３は、鉄、アルミニウム、あるいはステンレス鋼などの金属で一体に形成されている。
【００２８】
第１接続平板部２７１は、板面が略長方形となる平板状に形成されている。第１接続平板部２７１は、一方の面２７１ａが第１側板部２６の外面２６ａと当接する姿勢で、下縁部２７１ｂが第１側板部２６の下縁部と略同じ高さとなる位置で第１側板部２６の外面２６ａに取り付けられている。本実施形態では、第１接続平板部２７１は、複数のネジ２７１ｃ，２７１ｃ…（図４参照）で第１側板部２６に固定されている。第１接続平板部２７１にはそれぞれネジ２７１ｃが挿通され複数のネジ孔２７１ｄ，２７１ｄ…が形成されている。なお、第１側板部２６への第１接続平板部２７１の固定は、ネジ固定以外によるものでもよい。
【００２９】
第１固定部２７２は、第１接続平板部２７１の下縁部全体から外側に突出している。第１固定部２７２は、板面が略上下方向を向く平板状に形成されている。第１固定部２７２の板面は、上下方向から見て奥行方向に長い略長方形状に形成されている。第１固定部２７２には、上下方向に貫通するネジ孔２７２ａが奥行方向に間隔をあけて３つ形成されている。第１固定部２７２の上面は、上側接続部６２の第２固定部３６２の第２固定面６３２ｂと対向する第１固定面２７２ｂを構成している。
【００３０】
一対のフック部２７３，２７３は、第１接続平板部２７１の奥行方向の両端部それぞれにおける上端部近傍から外側に突出している。一対のフック部２７３，２７３は、それぞれ板面が奥行方向を向く平板状に形成されている。一対のフック部２７３，２７３は、それぞれ第１接続平板部２７１から外側に延びる下側片２７３ａと、下側片２７３ａの先端部分（外側の部分）から上側に延びる上側片２７３ｂと、を有している。下側片２７３ａおよび上側片２７３ｂは、それぞれ平板状に形成され板面が奥行方向を向く鉛直面となるように配置されている。一対のフック部２７３，２７３は、奥行方向から見て略Ｌ字形となっている。
上側片２７３ｂは、第１接続平板部２７１の上縁部２７１ｅよりも上側に突出している。
【００３１】
図４に示すように、第１接続部材２７は、第１接続平板部２７１が第１側板部２６の外面２６ａに取り付けられると、一対のフック部２７３，２７３および第１固定部２７２が第１側板部２６の外面２６ａよりも外側に突出した状態となっている。第１固定部２７２は、下側接続部６１の下縁部近傍に配置されている。
第１接続部材２７は、下側構造部２を製作する際に、第１側板部２６に取り付けられている。
脚部２１、第１湾曲板部２５および下側接続部６１（第１側板部２６および第１接続部材２７）を合せた形状は、奥行き方向から見てＬ字形となっている。
【００３２】
図１および図６に示すように、上側構造部３は、第１立ち上がり部２２（図１参照）に接続されて第１立ち上がり部２２よりも上側に延びる第２立ち上がり部３１と、第２立ち上がり部３１の上端部に接続された天板部３２と、を有している。
天板部３２は、板面が水平面となり、幅方向に延びる長尺の板状に形成されている。天板部３２は、幅方向の他方側の縁部が第２立ち上がり部３１の上端部と接続されている。天板部３２の上面は、使用者が作業したり物を置いたりできるように構成されている。
天板部３２には、支柱部４の上側のネジ部４１（図１乃至図３参照）がねじ込まれるネジ孔３２１が形成されている。
【００３３】
第２立ち上がり部３１は、天板部３２の幅方向の他方側の縁部から下方に向かって所定の曲率で湾曲する板状の第２湾曲板部３４と、第２湾曲板部３４の下縁部から下方に延びる平板状の連続部３９と、連続部３９の下縁部から更に下方に延びる平板状の第２側板部３５と、第２側板部３５に取り付けられた第２接続部材３６と、を有している。
本実施形態では、第２側板部３５および第２接続部材３６が、下側構造部２の下側接続部６１と接続される上側接続部６２を構成している。
天板部３２、第２湾曲板部３４、および第２側板部３５は、例えば、単板、積層板、あるいは集成材などの木質材料などで一体に形成されている。
【００３４】
第２湾曲板部３４は、中心角が約９５°となる円弧板状に形成されている。
第２側板部３５は、板面が略幅方向を向き、第１側板部２６と平行となるように下側から上側に向かって漸次幅方向の一方側に向かって傾斜している。第２側板部３５の天板部３２に対する傾斜角は約９５°となっている。第２側板部３５は、板面が傾斜する方向に長い略長方形状に形成されている。
図６および図７に示すように、第２側板部３５には、第２接続部材３６（図６参照）が配置される第１切欠き部３５１および第２切欠き部３５２と、第１接続部材２７の一対のフック部２７３，２７３（図４参照）が配置される一対のフック用凹部３５３，３５３が形成されている。
【００３５】
第１切欠き部３５１は、第２側板部３５の下縁部近傍における奥行方向の中間部分（奥行方向の両端部近傍を除いた部分）の全体に形成され、下側および幅方向の一方側に開口している。第２側板部３５には、第１切欠き部３５１の直上に配置され下側を向く第１切欠き部上側面３５４が形成されている。
第２切欠き部３５２は、第２側板部３５における第１切欠き部３５１の上側の所定の範囲に内側に開口するように形成されている。第２切欠き部３５２は、第１切欠き部３５１よりも幅方向の他方側への切欠き深さが小さく設定されている。
第１切欠き部３５１の内部と第２切欠き部３５２の内部とは上下方向に連通している。
【００３６】
一対のフック用凹部３５３，３５３は、第２側板部３５における第２切欠き部３５２が形成された部分に形成されている。一対のフック用凹部３５３，３５３は、第２切欠き部３５２の幅方向の他方側に重なって配置されている。一対のフック用凹部３５３，３５３は、それぞれ幅方向から見て上下方向に長い丸孔状に形成され、幅方向の一方側に開口している。一対のフック用凹部３５３，３５３は、第２側板部３５における第２切欠き部３５２が形成された部分の上縁部近傍に奥行方向に間隔をあけて配置されている。
【００３７】
図６に示すように、第２接続部材３６は、第２側板部３５の第１切欠き部３５１および第２切欠き部３５２に配置された状態で第２側板部３５に取り付けられている。
図６および図８に示すように、第２接続部材３６は、第２切欠き部３５２（図６参照）に配置されて第２側板部３５に取り付けられる第２接続平板部３６１と、第２接続平板部３６１の下縁部から幅方向の一方側に突出し第１切欠き部３５１（図６参照）に配置される第２固定部３６２と、を有している。
第２接続平板部３６１と、第２固定部３６２とは、鉄、アルミニウム、あるいはステンレス鋼などの金属で一体に形成されている。
【００３８】
第２接続平板部３６１は、板面が略Ｃ字形となる平板状に形成されている。第２接続平板部３６１は、板面が幅方向を向き、板面の略Ｃ字形が下側に開口する姿勢で第２側板部３５の第２切欠き部３５２に配置されている。
第２接続平板部３６１は、上部側に配置され奥行方向に延びる上板部３６１ａと、上板部３６１ａの奥行方向両側の縁部近傍からそれぞれ下側に延びる一対の縦板部３６１ｂ，３６１ｂと、を有している。
【００３９】
一対の縦板部３６１ｂ，３６１ｂは、互いに奥行方向に離間していて、これらの間隔の寸法は、図２に示す下側構造部２の第１接続平板部２７１の奥行方向の寸法よりやや大きくなるように設定されている。
本実施形態では、第２接続平板部３６１は、複数のネジ３６１ｃ，３６１ｃ…（図６参照）で第２側板部３５に固定されている。第２接続平板部３６１にはそれぞれネジ３６１ｃが挿通され複数のネジ孔３６１ｄ，３６１ｄ…が形成されている。なお、第２側板部３５への第２接続平板部３６１の固定は、ネジ固定以外によるものでもよい。
【００４０】
第２固定部３６２は、板面が長尺の略長方形となる平板状に形成されている。第２固定部３６２は、板面が高さ方向を向き、奥行方向に延びる姿勢で第１切欠き部３５１に配置されている。
図８に示すように、第２固定部３６２は、奥行方向（延びる方向）の一方の端部近傍が、第２接続平板部３６１の一対の縦板部３６１ｂ，３６１ｂの一方の縦板部３６１ｂの下縁部と連続し、他方の端部近傍が他方の縦板部３６１ｂの下縁部と連続している。
第２固定部３６２における奥行方向の中間部分（一対の縦板部３６１ｂ，３６１ｂと接続されていない部分）３６２ｂは、幅方向の一方側の端面３６２ｃが、第２接続平板部３６１の幅方向の他方側の面３６１ｅと同一面上、または、第２接続平板部３６１の幅方向の他方側の面３６１ｅよりも幅方向の他方側に配置されている。
第２固定部３６２には、上下方向に貫通するネジ孔３６２ａが奥行方向に間隔をあけて３つ形成されている。
第２固定部３６２の下面は、下側接続部６１の第１固定部２７２の第１固定面２７２ｂと対向する第２固定面３６２ｄを構成している。
【００４１】
図６に示すように、第２接続部材３６が第１切欠き部３５１および第２切欠き部３５２に配置されると、第２接続平板部３６１の上縁部が第１切欠き部３５１の上縁部の下側に配置され、第２接続平板部３６１の奥行方向の両縁部が第１切欠き部３５１の両縁部の内側に配置され、第２接続平板部３６１の下縁部および第２固定部３６２が第２切欠き部３５２の下縁部よりもやや上側に配置される。第２固定部３６２は、上側接続部６２の下縁部近傍に配置されている。
【００４２】
第２接続平板部３６１の上板部３６１ａは、一対のフック用凹部３５３，３５３の上部側の内側に重なり、一対のフック用凹部３５３，３５３の上部側を内側から覆うように配置される。フック用凹部３５３と上板部３６１ａにおけるフック用凹部３５３の上部側を覆う部分３６１ｆとを合せてフック係止部３７とする。上側接続部６２は、一対のフック係止部３７，３７を有している。
一対のフック用凹部３５３，３５３のそれぞれの開口縁部と上板部３６１ａの下縁部とに囲まれた開口部をフック用開口部３７１，３７１とする。一対のフック用凹部３５３，３５３それぞれの上部側で、上板部３６１ａに覆われた部分を、上側片挿入凹部３７２とする。一対の上側片挿入凹部３７２，３７２は、それぞれ下側に開口している。
【００４３】
第２固定部３６２は、第２側板部３５に形成され第１切欠き部３５１の直上に配置され下側を向く第１切欠き部上側面３５４と上下方向に離間している。
第２接続部材３６は、上側構造部３を製作する際に、第２側板部３５に取り付けられている。
【００４４】
図１および図９に示すように、第２接続平板部３６１の上板部３６１ａ、および一対の縦板部３６１ｂ，３６１ｂに囲まれた空間３６１ｇは、幅方向の一方側から第１接続部材２７の第１接続平板部２７１を嵌め込むことが可能な形状に設定されている。この空間３６１ｇに第１接続平板部２７１を嵌め込む場合は、図９に示すように、第１接続部材２７の一対のフック部２７３，２７３それぞれの上側片２７３ｂを上板部３６１ａの幅方向の他方側に配置する。一対のフック部２７３，２７３を上板部３６１ａの幅方向の他方側に配置する方法については後述する。
この空間３６１ｇに第１接続平板部２７１が嵌め込まれると、第１接続部材２７の第１固定部２７２は、第２接続部材３６の第２固定部３６２の下側に重なり、第１固定部２７２の第１固定面２７２ｂと第２固定部３６２の第２固定面３６２ｄとが上下方向に対向して当接する。このとき、第１固定部２７２の３つのネジ孔２７２ａ，２７２ａ，２７２ａが、第２固定部３６２の３つのネジ孔３６２ａ，３６２ａ，３６２ａとそれぞれ上下方向に重なるように配置される。
【００４５】
上記のような、下側構造部２と上側構造部３とは、以下のようにして接続される。
まず、下側構造部２の下側接続部６１の幅方向の他方側に上側構造部３の上側接続部６２を対向させる。
下側接続部６１の一対のフック部２７３，２７３それぞれの上側片２７３ｂを、上側接続部６２の一対のフック係止部３７，３７それぞれのフック用凹部３５３に、フック用開口部３７１から挿入する。このとき、下側接続部６１を上側が下側よりも幅方向の他方側に配置されるように傾斜させて、フック部２７３の上側片２７３ｂを幅方向の一方側から他方側に向かって漸次上側に向かう斜め方向に滑らすようにしてフック用開口部３７１からフック用凹部３５３に挿入する。フック部２７３の上側片２７３ｂがフック用凹部３５３に挿入されたら、下側接続部６１の姿勢を戻して、フック部２７３の上側片２７３ｂをフック用凹部３５３の上部側の上側片挿入凹部３７２に配置するとともに、フック部２７３の下側片２７３ａもフック用凹部３５３の下部側に挿入する。
これにより、フック部２７３がフック係止部３７に係止され、フック部２７３およびフック係止部３７によって、第１立ち上がり部２２と第２立ち上がり部３１とが幅方向に離間しないように規制される。
【００４６】
フック部２７３がフック係止部３７に係止されると、下側接続部６１の第１接続平板部２７１が、上側接続部６２の第２接続平板部３６１の上板部３６１ａ、および一対の縦板部３６１ｂ，３６１ｂに囲まれた空間３６１ｇ配置されるとともに、下側接続部６１の第１固定部２７２が上側接続部６２の第２固定部３６２の下側に重なって配置され、第１固定部２７２の第１固定面２７２ｂと第２固定部３６２の第２固定面３６２ｄとが上下方向に対向して当接する。
第１固定部２７２と第２固定部３６２とが重なって配置されたら、第１固定部２７２のネジ孔２７２ａおよび第２固定部３６２のネジ孔３６２ａにネジ２７５を螺合させて第１固定部２７２と第２固定部３６２とを固定する。
【００４７】
このようにして、下側接続部６１と上側接続部６２とが固定され、上側構造部３と下側構造部２とが接続される。上側構造部３と下側構造部２とが接続されると、下側接続部６１の第１側板部２６の幅方向の他方側の面と上側接続部６２の幅方向の一方側の面とが当接している。
上側構造部３と下側構造部２とが接続されると、上側構造部３の第１側板部２６の内側の面２６ｂと、下側構造部２の連続部３９の内側の面３９ａとが同一平面状になく、第１側板部２６と第２側板部３５との接続部分に段差が形成されている。
【００４８】
図１乃至図３に戻り、支柱部４は、上下方向に延びる棒状に形成され、上端部近傍および下端部近傍それぞれの外周面にネジ山が形成されたネジ部４１，４１が形成されている。支持部材は、例えば、金属、木、樹脂などで形成されている。
支柱部４は、下側のネジ部４１が底板部２３に形成されたネジ孔２３１に上側からねじ込まれ、上側のネジ部４１が天板部３２に形成されたネジ孔３２１に下側からねじ込まれることで底板部２３と天板部３２とを連結している。
【００４９】
次に、上述した下側構造部２と上側構造部３との接続構造およびテーブル（什器）１Ａの作用・効果について説明する。
本実施形態によるテーブル１Ａでは、第１固定部２７２が第２固定部３６２に固定されるとともに、フック部２７３，２７３がフック係止部３７，３７に係止されることによって、下側接続部６１と上側接続部６２とが接続されて、下側構造部２と上側構造部３とを接続することができる。
フック部２７３，２７３およびフック係止部３７，３７は、下側接続部６１と上側接続部６２とが重なる位置に配置されているため、外部への露出を抑えることができる。また、第１固定部２７２が第２固定部３６２に下側から固定されるため、第１固定部２７２や第２固定部３６２の上方や側方への露出を抑えることができる。これらのことにより、接続される下側構造部２と上側構造部３との接続部分の露出を抑えて意匠性を向上させることができる。
【００５０】
また、脚部２１、第１湾曲板部２５および下側接続部６１（第１側板部２６および第１接続部材２７）を合せた形状は、奥行き方向から見てＬ字形となっていて、下側接続部６１の外側に重なるように上側接続部６２が接続されている。これにより、下側接続部６１の下縁部近傍に設けられた第１固定部２７２および上側接続部６２の下縁部近傍に設けられた第２固定部３６２の下側に脚部２１が配置されないことになる。このため、第１固定部を第２固定部３６２に下側から固定する際に、ネジ２７５やネジを回すドライバーなどが脚部２１と干渉することがなく、作業を行いやすい。
【００５１】
また、一対のフック部２７３，２７３それぞれの上側片２７３ｂがフック係止部３７の上側片挿入凹部３７２に下側から挿入されることにより、一対のフック部２７３，２７３それぞれがフック係止部３７から外れることを防止することができる。
【００５２】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図１０に示すように、第２実施形態による什器は、Ｃ字形状のテーブル１Ｂで、図１に示す第１実施形態によるテーブル１Ａと比べて、下側構造部２Ｂの下側接続部６１Ｂが、上側まで延びていて、上側構造部３Ｂの上側接続部６２Ｂとの重なる部分が上下方向に大きく設定されている。
【００５３】
上側構造部３Ｂにおける下側接続部６１Ｂと重なる部分には、電源や通信に使用される配線５１を挿通可能な溝状の配線挿通部３８が形成されている。配線挿通部３８は、上下方向に延び、下端部から配線を外部に引きすように構成されている。具体的には、配線挿通部３８は、上下方向に延びて内側に開口する溝部で、第２側板部３５Ｂにおける第２切欠き部３５２が形成された部分に形成されている。第２実施形態では、第１実施形態と比べて第２切欠き部３５２Ｂが上下方向に大きく形成されている。これに伴い、第２接続部材３６および第１接続部材２７も上下方向に大きく形成されている。
配線挿通部３８は、下側構造部２Ｂと上側構造部３Ｂとが接続されて下側接続部６１Ｂと上側接続部６２Ｂとが幅方向に重なると、下側接続部６１Ｂに覆われるように構成されている。
第１接続部材２７の第１固定部２７２および第２接続部材３６の第２固定部３６２のそれぞれには、配線挿通部３８とこれらの下側の空間とを連通させるとともに、配線５１を挿通可能な孔部が形成されている。これらの孔部を介して下側の空間から配線挿通部３８に配線５１が引き込まれるように構成されている。
【００５４】
下側接続部６１Ｂの第１側板部２６Ｂには、配線挿通部３８に挿通された配線５１に接続されたコンセント５２が挿通されるコンセント用孔部２８が形成されている。第１側板部２６Ｂは、コンセント５２がコンセント用孔部２８に挿通された状態となることでコンセント５２を支持している。
【００５５】
第２実施形態によるテーブル１Ｂでは、配線５１を挿通可能な配線挿通部３８が形成されていることにより、配線５１の露出を抑えることができ、テーブル１Ｂの意匠性を向上させることができる。
第２実施形態によるテーブル１Ｂでは、コンセントを支持する５２コンセント用孔部２８が形成され、下側接続部６１Ｂにコンセント５２が設けられることにより、テーブル１Ｂおよびテーブル１Ｂの近傍で使用する機器類に容易に配線することができる。このため、テーブル１Ｂの使用性を向上させることができる。
【００５６】
以上、本発明による接続構造および什器の実施形態について説明したが、本発明は上記の実施形態に限定されるものではなく、その趣旨を逸脱しない範囲で適宜変更可能である。
例えば、上記の実施形態では、第１固定部２７２と第２固定部３６２とは、ネジで固定されているが、ネジ以外の固定具や接着などによって固定されていてもよい。
また、第１固定部２７２は、第１立ち上がり部２２の下縁部近傍に設けられ、第２固定部３６２は、第２立ち上がり部３１の下縁部近傍に設けられているが、第１固定部２７２の第１立ち上がり部２２に対して取り付けられる位置や、第２固定部３６２の第２立ち上がり部３１に対して取り付けられる位置は、適宜設定されてよい。
【００５７】
また、上記の実施形態では、フック部２７３は、第１接続平板部２７１から幅方向の他方側（外側）に突出し、さらに上側に突出する形状であるが、形状は適宜設定されてよい。例えば、フック部２７３は、第１接続平板部２７１から幅方向の他方側に突出し、さらに下側や奥行き方向に突出する形状であってもよい。また、フック部２７３の数や設置される位置は適宜設定されてよい。
【００５８】
また、上記の実施形態では、下側接続部６１は、第１固定部２７２およびフック部２７３が形成された第１接続部材２７が第１側板部２６に取り付けられた構成であるが、第１側板部２６に第１固定部およびフック部が取り付けられたり、一体に形成されたりした構成であってもよい。
また、上記の実施形態では、上側接続部６２は、第２固定部３６２が形成された第２接続部材３６がフック用凹部３５３が形成された第２側板部３５に取り付けられてフック係止部３７が形成された構成であるが、第２側板部３５に第２固定部およびフック係止部が取り付けられたり、一体に形成されたりした構成であってもよい。
【００５９】
また、上記の実施形態では、下側接続部６１が第１固定部２７２を有し、上側接続部６２が第２固定部３６２を有する構成であるが、下側接続部６１が第２固定部３６２を有し、上側接続部６２が第１固定部２７２を有する構成であってもよい。
また、上記の実施形態では、下側接続部６１がフック部２７３を有し、上側接続部６２がフック係止部３７を有する構成であるが、下側接続部６１がフック係止部３７を有し、上側接続部６２がフック部２７３を有する構成であってもよい。
【００６０】
また、上記の実施形態では、第１立ち上がり部２２に下側接続部６１が設けられているが、脚部２１の側面に下側接続部６１が設けられていてもよい。
【００６１】
また、上記の実施形態では、上側構造部３と下側構造部２とが接続されると、上側構造部３の第１側板部２６の内側の面２６ｂと、下側構造部２の連続部３９の内側の面３９ａとが同一平面状になく、第１側板部２６と第２側板部３５との接続部分に段差が形成されている。これに対し、図１１に示すテーブル１Ｃように、下側構造部２Ｃの第１側板部２６Ｃの内側の面と、上側構造部３Ｃの連続部３９の内側の面３９ａとが面一となるように、連続部３９の内側の面３９ａが第２側板部３５Ｃの内側の面３５ａよりも内側に突出していてもよい。
【００６２】
また、第２実施形態では、配線挿通部３８に配線５１が挿通され、下側接続部６１Ｂに配線５１に接続されたコンセント５２が取り付けられているが、コンセント５２が下側接続部６１Ｂに取り付けられておらず、配線挿通部３８に使用者が適宜配線を挿通可能に構成されていてもよい。
また、上側接続部６２Ｂにコンセント用孔部が設けられて、上側接続部６２Ｂにコンセントが取り付けられていてもよい。
【００６３】
また、上記の実施形態では、什器が天板部３２を有するテーブル１Ａ，１Ｂであるが、例えば、図１２に示すように、上側構造部３Ｄに天板部が設けられておらず、第２立ち上がり部３１Ｄに情報を表示可能な情報表示部６が設けられた看板１Ｄであってもよい。什器が看板１Ｄの場合は、下側構造部２Ｄの第１立ち上がり部２２Ｄおよび上側構造部３Ｄの第２立ち上がり部３１Ｄが略鉛直に設けられていてもよい。なお、下側接続部および上側接続部の設置面に対する傾斜角は適宜設定されてよい。
また、上記の実施形態では、テーブル１Ａ，１Ｂは、脚部２１と天板部３２とを接続する支柱部４が設けられているが、支柱部４が設けられていない形態でもよい。
【符号の説明】
【００６４】
１Ａ、１Ｂ  テーブル（什器）
２  下側構造部
３  上側構造部
１１  床面（設置面）
２１  脚部
２２  第１立ち上がり部
２６  第１側板部
３１  第２立ち上がり部
３５  第２側板部
３２  天板部
３７  フック係止部
３８  配線挿通部
３９  連続部
５１  配線
５２  コンセント
６１  下側接続部
６２  上側接続部
２７２  第１固定部
２７２ｂ  第１固定面
２７３  フック部
２７３ｂ  上側片
３６２  第２固定部
３６２ｄ  第２固定面
３７２  上側片挿入凹部
【図１】
2018119629.tif 000003
【図２】
2018119629.tif 000004
【図３】
2018119629.tif 000005
【図４】
2018119629.tif 000006
【図５】
2018119629.tif 000007
【図６】
2018119629.tif 000008
【図７】
2018119629.tif 000009
【図８】
2018119629.tif 000010
【図９】
2018119629.tif 000011
【図１０】
2018119629.tif 000012
【図１１】
2018119629.tif 000013
【図１２】
2018119629.tif 000014